(57)【要約】  【課題】  排水の立て管と、各階の水周りの器具から配管される排水管と、立て管へ排水管を接続する合流継手とを有し、合流継手のレベルを排水階床スラブのレベルより下げて立て管に合流させるサイホン式の排水システムであって、耐久性に優れ、設置作業を容易にする排水システムとこれに用いられる可撓管部材を提供することにある。  【解決手段】  サイホン式の排水システムの排水管の、合流継手に接続する硬質な縦配管路の一部が、可撓性を有する管体に形成され、可撓性を有する管体の撓みを防止するために、可撓性を有する管体の外周に着脱可能な硬質カバーを備えたことを特徴とする。  【選択図】  図１
2009243036.tif 000002
【特許請求の範囲】
【請求項１】
排水の立て管と、各階の水周りの器具から配管される排水管と、前記立て管へ前記排水管を接続する合流継手とを有し、前記合流継手のレベルを排水階床スラブのレベルより下げて前記立て管に合流させるサイホン式の排水システムであって、
前記排水管の前記合流継手に接続する硬質な縦配管路の一部が、可撓性を有する管体に形成され、
前記可撓性を有する管体の撓みを防止するために、前記可撓性を有する管体の外周に着脱可能な硬質カバーを備えたことを特徴とする排水システム。
【請求項２】
排水の立て管と、各階の水周りの器具から配管される排水管と、前記立て管へ前記排水管を接続する合流継手とを有し、前記合流継手のレベルを排水階床スラブのレベルより下げて前記立て管に合流させるサイホン式の排水システムであって、
前記排水管の前記合流継手に接続する縦配管路が、硬質管とこの硬質管とは別体の可撓管部材とを接合してなり、
前記可撓管部材が、
可撓性を有する管体と、この管体の両端に形成されて前記可撓管部材外の接続相手に接続させる硬質な接続部と、を有する管本体と、
前記管体の撓みを防止するための前記管体の外周に着脱可能な硬質カバーと、を有する
ことを特徴とする排水システム。
【請求項３】
可撓管部材は、合流継手への接続部分に配置されたことを特徴とする請求項２記載の排水システム。
【請求項４】
硬質カバーが、管本体の接続部に着脱可能に係止させる係止部を備えたことを特徴とする請求項２又は３記載の排水システム。
【請求項５】
接続部が、硬質管に接続される第１接続部と、前記合流継手に接続される第２接続部とをなし、
係止部が、前記第１接続部に係止する第１係止部と、前記第２接続部に係止する第２係止部とをなす、ことを特徴とする請求項４記載の排水システム。
【請求項６】
排水の立て管と、各階の水周りの器具から配管される排水管と、前記立て管へ前記排水管を接続する合流継手とを有し、前記合流継手のレベルを排水階床スラブのレベルより下げて前記立て管に合流させるサイホン式の排水システムに用いられる可撓管部材であって、
前記排水管の前記合流継手に接続する硬質な縦配管路の一部に別体として設けられ、
可撓性を有する管体と、この管体の両端に形成されて可撓管部材外の接続相手に接続させる硬質な接続部と、を有する管本体と、
前記管体の撓みを防止するための前記管体の外周に着脱可能な硬質カバーと、を有する
ことを特徴とする可撓管部材。
【請求項７】
硬質カバーが、管本体の接続部に着脱可能に係止させる係止部を備えたことを特徴とする請求項６記載の可撓管部材。
【請求項８】
可撓管部材は、合流継手への接続部分に配置され、
接続部が、前記硬質管路に接続される第１接続部と、前記合流継手に接続される第２接続部とをなし、
係止部が、前記第１接続部に係止する第１係止部と、前記第２接続部に係止する第２係止部とをなす、ことを特徴とする請求項7記載の可撓管部材。
【発明の詳細な説明】
【技術分野】
【０００１】
この発明は、排水の立て管と、各階の水周り器具から導かれる排水管と、立て管へ排水管を接続する合流継手とを有し、合流継手のレベルを排水階床スラブのレベルより下げて立て管に合流させるサイホン式の排水システムとこれに用いられる可撓管部材に関する。
【背景技術】
【０００２】
従来より、特許文献１に記載されているような、いわゆるサイホン式の排水システムが提供されている。
【０００３】
即ちこのサイホン式の排水システムは、図６に示すように、排水の立て管１１０と、各階の水周りの器具Ａから配管される排水管１２０、１３０と、立て管１１０へ排水管１３０を接続する合流継手１５０とからなり、合流継手１５０のレベルを排水階床スラブＢのレベルより下げることにより、排水管１３０内の流体に垂直速度成分を十分に付与してから、立て管１１０内の流体に合流させるのである。
【０００４】
この様にすると、床スラブＢの高さから合流継手１５０までの縦の排水管１３０を流れる排水によって、その排水管１３０がそれよりも上流の部分１２０を吸引することとなり、よって床スラブＢ上の排水管１２０が無勾配でも排水が可能になるという点に特徴を有している。
【０００５】
合流継手１５０は、図示されたような、立て管１１０に対して上向きに拡がった逆三角形状をなし、上下に立て管１１０が接続されることにより、立て管１１０の一部をなす様に配置されている。そしてこの合流継手１５０は逆三角形状なために、この三角形状の底部が上面に位置し、この上面に設けられた接続口１５１に、配管の排水管１３０が接続されているのである。通常は、この接続口１５１が複数設けられており、１つの階からの複数の排水管１３０が接続できるようになっている。
【特許文献１】特開２０００−２９７４４７公報
【発明の開示】
【発明が解決しようとする課題】
【０００６】
排水管には、従来、可撓性を有する架橋ポリエチレン管やポリブテン管が使用されている。しかし、可撓性を有する管により配管すると、排水時に管が振動して異音を発生させたり、振動で周辺の部材と擦れてひび割れしたり、或いは接続部分の破損を起こすなどの原因となっている。
【０００７】
また縦の排水管は室外に設けられることが多い。しかし架橋ポリエチレン管やポリブテン管は耐光性に劣り、紫外線による劣化などするので、室外での排水管にこれらの管を用いると、水圧による割れなどを招き、水漏れを起こすなどしている。
【０００８】
本願発明は、以上の問題を鑑みて成されたものであり、サイホン式の排水システムであって、耐久性に優れ、設置作業を容易にする排水システムとこれに用いられる可撓管部材を提供することにある。
【課題を解決するための手段】
【０００９】
以上の課題を解決するために、本願請求項１記載の排水システムの発明は、排水の立て管と、各階の水周りの器具から配管される排水管と、前記立て管へ前記排水管を接続する合流継手とを有し、前記合流継手のレベルを排水階床スラブのレベルより下げて前記立て管に合流させるサイホン式の排水システムである。そして、前記排水管の前記合流継手に接続する硬質な縦配管路の一部が、可撓性を有する管体に形成され、前記可撓性を有する管体の撓みを防止するために、前記可撓性を有する管体の外周に着脱可能な硬質カバーを備えたことを特徴とする。
【００１０】
請求項２記載の排水システムの発明は、排水の立て管と、各階の水周りの器具から配管される排水管と、前記立て管へ前記排水管を接続する合流継手とを有し、前記合流継手のレベルを排水階床スラブのレベルより下げて前記立て管に合流させるサイホン式の排水システムである。そして、前記排水管の前記合流継手に接続する縦配管路が、硬質管とこの硬質管とは別体の可撓管部材とを接合してなり、前記可撓管部材が、可撓性を有する管体と、この管体の両端に形成されて前記可撓管部材外の接続相手に接続させる硬質な接続部と、を有する管本体と、前記管体の撓みを防止するための前記管体の外周に着脱可能な硬質カバーと、を有することを特徴とする。
【００１１】
請求項３記載の発明は、請求項２記載の発明において、可撓管部材は、合流継手への接続部分に配置されたことを特徴とする。
【００１２】
請求項４記載の発明は、請求項２又は３記載の発明において、硬質カバーが、管本体の接続部に着脱可能に係止させる係止部を備えたことを特徴とする。
【００１３】
請求項５記載の発明は、請求項４記載の発明において、接続部が、硬質管に接続される第１接続部と、前記合流継手に接続される第２接続部とをなし、係止部が、前記第１接続部に係止する第１係止部と、前記第２接続部に係止する第２係止部とをなす、ことを特徴とする。
【００１４】
請求項６記載の可撓管部材の発明は、排水の立て管と、各階の水周りの器具から配管される排水管と、前記立て管へ前記排水管を接続する合流継手とを有し、前記合流継手のレベルを排水階床スラブのレベルより下げて前記立て管に合流させるサイホン式の排水システムに用いられる可撓管部材である。そして、前記排水管の前記合流継手に接続する硬質な縦配管路の一部に別体として設けられ、可撓性を有する管体と、この管体の両端に形成されて可撓管部材外の接続相手に接続させる硬質な接続部と、を有する管本体と、前記管体の撓みを防止するための前記管体の外周に着脱可能な硬質カバーと、を有することを特徴とする。
【００１５】
請求項７記載の発明は、請求項６記載の発明において、硬質カバーが、管本体の接続部に着脱可能に係止させる係止部を備えたことを特徴とする。
【００１６】
請求項８記載の発明は、請求項７記載の発明において、可撓管部材は、合流継手への接続部分に配置され、接続部が、前記硬質管路に接続される第１接続部と、前記合流継手に接続される第２接続部とをなし、係止部が、前記第１接続部に係止する第１係止部と、前記第２接続部に係止する第２係止部とをなす、ことを特徴とする。
【００１７】
なお以上において、縦配管路とは、その縦配管路の上流である横の配管路との接続部分となる屈曲部分も含む。
【発明の効果】
【００１８】
本願の請求項１、２、６記載の発明によると、縦配管路の配管される縦スペースが固定であっても、合流継手への接続時には、硬質カバーを外した管体の撓みにより、接続が容易になる。
また管体を硬質カバーが覆うので、管体が保形され、更には振動を抑えることができる。又この様に硬質カバーに覆われることにより日光を遮ることができ、紫外線などによる管体の劣化を防ぐなどの耐光性が得られる。
【００１９】
請求項３記載の発明によると、可撓管部材を、合流継手への接続部分に配置したので、合流継手の接続口への挿し込み作業とその為の管体の屈曲操作とが一緒に行える。
【００２０】
請求項４、７記載の発明によると、硬質カバーが可撓性を有する管体のみでなく、硬質な接続部から覆うので、保形性や耐光性が向上する。
【００２１】
請求項５、８記載の発明によると、管本体の両端の接続部が、硬質カバーの２つの係止部に係止されることにより、これら２つの接続部の間隔と、その間の管体の姿勢とが規制され、管体が可撓性を有していても撓むことがない。
【発明を実施するための最良の形態】
【００２２】
次に、本願の発明の排水システムとこれに用いる可撓管部材の実施例を、図をもって説明する。
この実施例の排水システムが配置される建物環境は、図１に示すように、水回り器具Ａのある室内とその室外に張り出された廊下スラブＢであり、廊下スラブＢの先には排水本管となる立て管１０が、建物の高さに合わせて延ばしてある。図中の破線Ｃが室内と廊下との床位置になる。
【００２３】
そして、室内の水回り器具Ａから配管される排水管２０は、室内においては架橋ポリエチレン管などの可撓管にて床スラブＤを這わせ、室外に引き出される。室外では、硬質で紫外線などにも強い耐光性の塩化ビニールの排水管３０を用いており、これと同材質で壁を貫通させてある継手３１により、室内の可撓管２０と継がれている。このようにして室外に出た硬質な排水管３０は、廊下スラブＢを下方に貫通させた後に、廊下スラブＢの天井面を這わせて廊下スラブＢの端に向けて延ばしてある。そしてその先からが縦配管路４０であり、即ち、下方に曲げた硬質な屈曲管４１と、これから真っ直ぐ下に延ばした硬質な塩化ビニール管による硬質管４２と、これに接続させた可撓管部材４３とからなっている。この可撓管部材４３は、後述する合流継手５０への接続部分をなしている。
【００２４】
なお室外に廊下が無く、直ちに外壁となる場合もある。この様な場合には、上述同様に壁を貫通させてある継手に接続された室外の排水管は、直ちに下方に向けた縦配管路となる。つまり壁貫通の継手の先が縦配管路であり、下方に曲げた硬質な屈曲管と、これから真っ直ぐ下に延ばした塩化ビニール管とによる硬質管と、これに接続させた可撓管部材とからなっている。
【００２５】
立て管１０にはその全長に亘り、各階毎の合流継手５０が介在させてある。
この５０合流継手は、図２に示したように、立て管１０に対して上向きに拡がった逆三角形状をなし、その上下に立て管１０が接続されることにより立て管１０の一部をなす様に配置されている。そしてこの合流継手５０は逆三角形状なために、この三角形状の底部が上面５０ａとなり、この上面５０ａには、図２に示したような接続口５１がネジ締めされていていて、ここに可撓管部材４３が、排水管の縦配管部４０の先端として接続されているのである。通常は、この様な接続口５１が複数設けられており、１つの階からの複数の排水管が接続できるようになっている。
【００２６】
可撓管部材４３は、図３に示すように、管本体６０とこの管本体６０をカバーする硬質カバー７０とからなる。
管本体６０は、可撓性を有する管体６１と、この管体６１の両端に形成された硬質な接続部６２とを有している。管体６１は、軟質な塩化ビニールによる管の外周に、硬質な塩化ビニールの帯状材６３を螺旋状に巻いて層着させてあり、その際には、軟質な管が露出するように帯状材６３の間隔を均等に空けて装着させてあり、これにより可撓生を有する管体６１を形成させてある。
これに対して管本体６０両端の接続部６２は、管体６１を巻いた帯状材６３を、そのまま続けて詰めて巻き付けてあり、更にその上に硬質な塩化ビニールの管が嵌めてある。両端の接続部６２は、一方が硬質管に接続される第１接続部６４に、他方が合流継手５０に接続される第２接続部６５になっている。そして管体６１は手で容易に撓むので、図示したように曲げることができるのである。
また第１接続部６２の外周には、第１リング部６６ａが凸設させてあり、下記に述べる硬質カバーの第１係止部７２ａが係止するようになっている。第２接続部６５には、図３での下端の外周に止水リング６７が２つ嵌めてあり、その上方には、合流継手５０の接続口５１に挿入して内部の係止爪（図示せず）に係止する接続凹溝６８が凹設され、更にその上方には、硬質カバー５０の第２係止部７２ｂが係止する第２リング６６ｂが凸設されてある。
【００２７】
硬質カバー７０は硬質の塩化ビニール製であり、管体６１の外周を覆う一対の半円筒体７１である。この半円筒体７１の両端には、管本体６０の第１リング６６ａ、第２リング６６ｂに嵌合する凹部７２が凹設されている。そして、それぞれが第１接続部６２に係止する第１係止部７２ａと、第２接続部６２に係止する第２係止部７２ｂとをなしている。これら係止部７２により、硬質カバー７０は管本体６０の接続部６２に着脱可能となっている。また半円筒体７１の側辺７３には、これら一対の半円筒体７１を、円筒になるように閉じ合わせると係合しあう閉じ部７４が設けられている。この閉じ部７４は、外すこともできる。
【００２８】
また第１係止部７２ａと第２係止部７２ｂの間隔は、第１リング６６ａと第２リング６６ｂの間隔と同じになっている。これにより管本体６０は、両端の接続部６２同士が、係止部７２同士の間隔長に維持されるので、撓みの生ずることがない。更には、半円筒体７１は内周面７５が、管体６１の外周面とほぼ同じ半径の形状を成しており、管体６１を挟んで閉じ合わせると図４に示すようになって、硬質カバー７０の内周面７５が管体６１の外周面を規制するので、この点でも撓みの生ずることが無く、可撓管部材４３は直管状に保形される。更には管体５１の振動も抑制される。この硬質カバー７０は必要であれは閉じ部７４の係合を解除することができる。
【００２９】
管本体６０は、図２に示したように、その第１接続部６４の開口に、硬質な塩化ビニールの硬質管４２が挿し込んで接着させてある。管本体６０と硬質管４２とはともに塩化ビニールであり、同質の材質なので、接着性が良好である点で好適である。またこの様に、管本体６０が硬質管４２に外嵌されているので、硬質管４２から管本体６０に流れてきた排水にとっては内径が拡がることとなり、流れに支障が起きない。
【００３０】
また第２接続部６５は、合流継手５０に設けられた挿し込み型の接続口５１に挿し込める形状に形成されていて、単に挿し込むだけで接続ができる。挿し込んだ際には、接続口５１内の係止爪が、第２接続部６５の係止凹溝６８に係止するようになっており、また第２接続部６５下端の２つの止水リング６７により、接続部分からの漏水などが防止される。
【００３１】
次に、本願発明の排水システムとこれに用いた可撓性部材４３の使用方法を、特に合流継手５０への接続を中心に述べる。
【００３２】
この排水システムは、図１、５に示すように、室内の水回り器具Ａからの排水管２０を、室外にて、廊下スラブＢの天井面に塩化ビニールの排水管３０で這わせてあり、その先端から、縦配管路４０としての下方に屈曲させた硬質な屈曲管４１と、塩化ビニールの硬質管４２とが設けてある。
【００３３】
この硬質管４２を適宜に長さ調整し、その先端の外周に接着剤を塗布して、図２のように、可撓管部材４３の管本体６０の第１接続部６４の開口に挿し込み、接続を終えると図５(ａ)のようになる。
【００３４】
次に第２接続部６５を手で持って、図５(ｂ)のように合流継手５０の接続口５１に宛がって挿し込むと、図５(ｃ)のように管本体６０の接続が完了する。後は管本体６０を、硬質カバー７０の半円筒体７１で挟み付けて閉じ部７４を係合させ、硬質カバー７０の取り付けを終えると作業は完了する。
【００３５】
この様にして、硬質カバー７０が管本体６０両端の硬質な接続部６２に係止されるので、硬質カバー７０に保形される管体は、その全長に亘って姿勢が規制される。また管体６１と接続部６２との姿勢関係も規制され、つまり隣接する硬質管４２との連続形状を規制できる。
【００３６】
なお、本願発明の可撓管部材は、上記実施例のように縦配管路先端に接続するのに限らずどこでもよく、例えば縦管路の中間位置でもよく、或いは、縦管路上部の屈曲管（図５）を可撓管部材としてもよい。つまり実施例では硬質カバーが直管状であるが、このように縦配管路の上端のコーナー部分が可撓管部材であれば、硬質カバーも屈曲管状に形成させ、管体を屈曲管状に保形することができる。
【００３７】
従って本願発明の可撓管部材は、硬質管と合流継手とに接続される場合と、可撓管部材の両端がともに硬質管に接続される場合とがある。
【図面の簡単な説明】
【００３８】
【図１】この図は、実施例の排水システムの図である。
【図２】この図は、合流継手とこれに接続する可撓管部材との関わり方を説明する図である。
【図３】この図は、可撓管部材の分解図である。
【図４】この図は、硬質カバーを取り付けた可撓管部材の図である。
【図５】この図は、可撓管部材の合流継手への接続の手順を説明する図である。
【図６】この図は、従来のサイホン式の排水システムを説明する図である。
【符号の説明】
【００３９】
１０  立て管
２０  室内の排水管
３０  室外の排水管
４０  縦配管路
４１  縦配管路の一部である屈曲間
４２  縦配管路の一部である硬質管
４３  縦配管路の一部である可撓性管材
６０  管本体
６１  管体
６２  接続部
６４  接続部の一方である第１接続部
６５  接続部の他方である第２接続部
６６ａ  第１リング部
６６ｂ  第２リング部
７０  硬質カバー
７１  半円筒体
７２  係止部
７２ａ  第１係止部
７２ｂ  第２係止部
７５  内周面
５０  合流継手
５１  接続口
【図１】
2009243036.tif 000003
【図２】
2009243036.tif 000004
【図３】
2009243036.tif 000005
【図４】
2009243036.tif 000006
【図５】
2009243036.tif 000007
【図６】
2009243036.tif 000008